(57)【要約】      （修正有）【課題】ボルト等を回転させるために必要なソケットレンチの揺動角度を小さくして狭い場所での作業性を向上させるとともにソケットレンチの静粛性を高める。【解決手段】ハンドル部材１に固定された外輪３と、ソケットを着脱可能な出力軸７を形成する内輪２と、その内輪と前記外輪の間に組み込まれた複数の係合子と、その複数の係合子を弾性体を介して保持し、前記内輪に対して相対回転可能な保持器と、その保持器を外部から回転操作する摘みと、前記保持器を前記内輪に対して右方向に相対回転させた位置で内輪に固定する第１ロック手段と、前記保持器を前記内輪に対して左方向に相対回転させた位置で内輪に固定する第２ロック手段とを有し、前記ロック手段で前記保持器を前記内輪に固定した状態で、前記係合子が前記内輪と前記外輪の間に噛み込んで片方の回転方向のトルクのみ内外輪間で伝達するようにした。【選択図】図２
2007015077.tif 000002
【特許請求の範囲】
【請求項１】
内輪と外輪の間に係合子を噛み込ませてトルクを伝達する２方向クラッチをハンドル部材と出力軸の間に組み込んだソケットレンチ用ハンドル。
【請求項２】
前記内輪の外周にカム面を形成し、前記外輪の内周に円筒面を形成し、前記カム面と前記円筒面の間にローラ状の前記係合子を配置した請求項１に記載のソケットレンチ用ハンドル。
【請求項３】
前記内輪の外周に円筒面を形成し、前記外輪の内周にカム面を形成し、前記円筒面と前記カム面の間にローラ状の前記係合子を配置した請求項１に記載のソケットレンチ用ハンドル。
【請求項４】
前記内輪の外周と前記外輪の内周にそれぞれ円筒面を形成し、その各円筒面の間に組み込む前記係合子にカム面を形成し、その係合子を傾けて前記各円筒面の間に噛み込ませるようにした請求項１に記載のソケットレンチ用ハンドル。
【発明の詳細な説明】
【技術分野】
【０００１】
この発明は、ソケットレンチ用ハンドルに関する。
【背景技術】
【０００２】
ボルトやナットの締め付け作業や緩め作業に用いられるソケットレンチとして、ラチェット機構を組み込んだものが知られている。このソケットレンチのハンドルは、ソケットを装着する出力軸にラチェットホイールが固定され、このラチェットホイールに噛み合うラチェット爪がハンドル部材に組み込まれている。このラチェット爪は、ハンドル部材を一方の回転方向に揺動させたときのみラチェットホイールと噛み合い、ハンドル部材から出力軸にトルクを伝達する。そのため、ハンドル部材を往復運動させると、出力軸が一定方向に間欠回転する。
【０００３】
しかし、このソケットレンチ用ハンドルは、ラチェットホイールの歯間ピッチに相当する角度以上に揺動させないと、出力軸を回転させることができない。そのため、狭い場所では、ハンドル部材を往復運動させても出力軸が回転しないことがあった。このような狭い場所での使用を可能とするために、ラチェットホイールに係合するラチェット爪を２つ設け、その２つのラチェット爪が交互にラチェットホイールに噛み合うようにラチェット爪を配置したものが提案されている（特許文献１）。しかし、このソケットレンチ用ハンドルも、ラチェットホイールの歯間ピッチの半分に相当する角度以上に揺動させないと出力軸を回転させることができず、狭い場所では、ハンドル部材を往復運動させても出力軸が回転しないことがある。
【０００４】
また、このソケットレンチ用ハンドルは、空転時、すなわち、ラチェット爪とラチェットホイールが互いに噛み合う方向と反対方向にハンドル部材を揺動させたときに、ラチェット爪がラチェットホイールの歯と衝突してカチカチという、いわゆるラチェット音を生じ、耳障りである。
【０００５】
【特許文献１】特開２００２−２３９９３４号公報
【発明の開示】
【発明が解決しようとする課題】
【０００６】
この発明は、ボルト等を回転させるために必要なソケットレンチの揺動角度を小さくして狭い場所での作業性を向上させるとともにソケットレンチの静粛性を高めることを課題とする。
【課題を解決するための手段】
【０００７】
上記の課題を解決するために、内輪と外輪の間に係合子を噛み込ませてトルクを伝達する２方向クラッチをハンドル部材と出力軸の間に組み込んだ。
【０００８】
この発明において「２方向クラッチ」とは、トルク伝達方向を切り替え可能な一方向クラッチをいう。
【０００９】
この構成を備えるソケットレンチ用ハンドルとして、係合子を保持する保持器と内輪の相対回転位置を切り替えることによって一方向クラッチのトルク伝達方向を切り替えるソケットレンチ用ハンドルを採用することができる。
【００１０】
たとえば、ハンドル部材に固定された外輪と、ソケットを着脱可能な出力軸を形成する内輪と、その内輪と前記外輪の間に組み込まれた複数の係合子と、その複数の係合子を弾性体を介して保持し、前記内輪に対して相対回転可能な保持器と、その保持器を外部から回転操作する摘みと、前記保持器を前記内輪に対して右方向に相対回転させた位置で内輪に固定する第１ロック手段と、前記保持器を前記内輪に対して左方向に相対回転させた位置で内輪に固定する第２ロック手段とを有し、前記第１ロック手段で前記保持器を前記内輪に固定した状態で、前記係合子が前記内輪と前記外輪の間に噛み込んで一方の回転方向のトルクのみを内外輪間で伝達し、前記第２ロック手段で前記保持器を前記内輪に固定した状態で、前記係合子が前記内輪と前記外輪の間に噛み込んで他方の回転方向のトルクのみを内外輪間で伝達するようにしたソケットレンチ用ハンドルを採用することができる。
【００１１】
この第１ロック手段として、たとえば、前記内輪の前記保持器との対向面に形成された収納穴に挿入されたボールと、そのボールを前記収納穴から外方に付勢する弾性部材と、前記収納穴に対応する位置に形成された前記保持器の第１の窪みとを有し、前記保持器を前記内輪に対して右方向に相対回転させた位置で前記ボールが前記第１の窪みに入り込んで前記保持器を前記内輪に固定するようにしたロック手段を採用することができる。
【００１２】
また第２ロック手段として、たとえば、前記内輪の前記保持器との対向面に形成された収納穴に挿入されたボールと、そのボールを前記収納穴から外方に付勢する弾性部材と、前記収納穴に対応する位置に形成された前記保持器の第２の窪みとを有し、前記保持器を前記内輪に対して左方向に相対回転させた位置で前記ボールが前記第２の窪みに入り込んで前記保持器を前記内輪に固定するようにしたロック手段を採用することができる。
【００１３】
また、上記の構成を有するソケットレンチ用ハンドルとして、保持器と外輪の相対回転位置を切り替えることによって一方向クラッチのトルク伝達方向を切り替えるソケットレンチ用ハンドルを採用することができる。
【００１４】
たとえば、ハンドル部材に固定された外輪と、ソケットを着脱可能な出力軸を形成する内輪と、その内輪と前記外輪の間に組み込まれた複数の係合子と、その複数の係合子を弾性体を介して保持し、前記外輪に対して相対回転可能な保持器と、その保持器を外部から回転操作する摘みと、前記保持器を前記外輪に対して右方向に相対回転させた位置で外輪に固定する第１ロック手段と、前記保持器を前記外輪に対して左方向に相対回転させた位置で外輪に固定する第２ロック手段とを有し、前記第１ロック手段で前記保持器を前記外輪に固定した状態で、前記係合子が前記内輪と前記外輪の間に噛み込んで一方の回転方向のトルクのみを内外輪間で伝達し、前記第２ロック手段で前記保持器を前記外輪に固定した状態で、前記係合子が前記内輪と前記外輪の間に噛み込んで他方の回転方向のトルクのみを内外輪間で伝達するようにしたソケットレンチ用ハンドルを採用することができる。
【００１５】
この第１ロック手段として、たとえば、前記保持器の前記外輪との対向面に形成された収納穴に挿入されたボールと、そのボールを前記収納穴から外方に付勢する弾性部材と、前記収納穴に対応する位置に形成された前記外輪の第１の窪みとで構成し、前記保持器を前記外輪に対して右方向に相対回転させた位置で前記ボールが前記第１の窪みに入り込んで前記保持器を前記外輪に固定するようにしたロック手段を採用することができる。
【００１６】
また前記第２ロック手段として、たとえば、前記保持器の前記外輪との対向面に形成された収納穴に挿入されたボールと、そのボールを前記収納穴から外方に付勢する弾性部材と、前記収納穴に対応する位置に形成された前記外輪の第２の窪みとで構成し、前記保持器を前記外輪に対して左方向に相対回転させた位置で前記ボールが前記第２の窪みに入り込んで前記保持器を前記外輪に固定するようにしたロック手段を採用することができる。
【００１７】
この発明のソケットレンチ用ハンドルは、次の構成を加えるとより好ましいものとなる。
１）前記内輪の外周にカム面を形成し、前記外輪の内周に円筒面を形成し、前記カム面と前記円筒面の間にローラ状の前記係合子を配置する。
２）前記内輪の外周に円筒面を形成し、前記外輪の内周にカム面を形成し、前記円筒面と前記カム面の間にローラ状の前記係合子を配置する。
３）前記内輪の外周と前記外輪の内周にそれぞれ円筒面を形成し、その各円筒面の間に組み込む前記係合子にカム面を形成し、その係合子を傾けて各円筒面の間に噛み込ませるようにする。
【発明の効果】
【００１８】
この発明のソケットレンチ用ハンドルは、係合子を内輪と外輪の間に噛み込ませることにより内外輪間でトルクを伝達して出力軸を回転させるので、出力軸を回転させるのに必要な揺動角度が小さい。そのため、狭い場所でもボルト等を回転させることができ、作業性に優れる。また、空転時にラチェット音が生じないので静粛性に優れる。
【発明を実施するための最良の形態】
【００１９】
図１（ａ）（ｂ）に、この発明の第１実施形態のソケットレンチ用ハンドルの全体図を示す。このソケットレンチ用ハンドルは棒状のハンドル部材１を有し、そのハンドル部材１の一端部には、図２（ａ）に示すように、内輪２と、外輪３と、内輪２と外輪３の間に組み込まれた複数のローラ４と、各ローラ４を保持する保持器５が設けられている。
【００２０】
外輪３は、ハンドル部材１の一端部に形成された円筒状の穴６に圧入され、ハンドル部材１と一体に動くようになっている。一方、内輪２は、図２（ｂ）に示すように、ソケットＳを着脱可能な出力軸７が一端側に形成され、他端側の外周にカム面２ａが形成されている。
【００２１】
ローラ４は、図３（ｂ）に示すように、内輪２のカム面２ａと外輪３の円筒面３ａの間に形成されたくさび空間に配置され、ばね８を介して保持器５に保持されている。
【００２２】
保持器５は、内輪２に対して相対回転可能となっており、図２（ｃ）に示すようにハンドル部材１から外部に露出して設けた摘み９で回転操作できるようになっている。
【００２３】
内輪２には、図２（ｃ）に示すように保持器５との対向面に形成された収納穴１０にボール１１が挿入されている。ボール１１は、収納穴１０内に設けた弾性体１２で収納穴１０の外方に付勢され、保持器５に接触している。保持器５には、収納穴１０に対応する位置に、第１の窪み１３と第２の窪み１４が互いに周方向に間隔をおいて形成されている。そのため、保持器５を内輪２に対して右方向に回転させると、ボール１１が第１の窪み１３に入り込んで保持器５を内輪２に固定する。また、保持器５を内輪２に対して左方向に回転させると、ボール１１が第２の窪み１４に入り込んで保持器５を内輪２に固定する。
【００２４】
次に、この第１実施形態のソケットレンチ用ハンドルの使用例を説明する。
【００２５】
まず、図３（ａ）（ｂ）に示すようにローラ４が中立位置にある状態で、出力軸７にソケットＳを装着する。つぎに、内輪２に対して保持器５を右方向に相対回転させ、ボール１１を第１の窪み１３に入り込ませると、図３（ｃ）（ｄ）に示すようにローラ４がばね８に付勢されてカム面２ａと円筒面３ａの間に係合する。この状態でハンドル部材１を右方向に回転させると、ローラ４が内輪２と外輪３の間に噛み込んで外輪３から内輪２にトルクが伝達し、出力軸７がハンドル部材１と一体に回転する。一方、ハンドル部材１を左方向に回転させると、ローラ４の噛み込みが解除されてトルクの伝達が遮断され、外輪３が空転する。そのため、ハンドル部材１を往復運動させると、出力軸７が右方向に間欠回転し、ソケットＳで保持したボルト等を締め付けることができる。
【００２６】
同様に、内輪２に対して保持器５を左方向に相対回転させ、ボール１１を第２の窪み１４に入り込ませても、図３（ｅ）（ｆ）に示すようにローラ４がばね８に付勢されてカム面２ａと円筒面３ａの間に係合する。この状態でハンドル部材１を左方向に回転させると、ローラ４が内輪２と外輪３の間に噛み込んで外輪３から内輪２にトルクが伝達し、出力軸７がハンドル部材１と一体に回転する。一方、ハンドル部材１を右方向に回転させると、ローラ４の噛み込みが解除されてトルクの伝達が遮断され、外輪３が空転する。そのため、ハンドル部材１を往復運動させると、出力軸７が左方向に間欠回転し、ソケットＳで保持したボルト等を緩めることができる。
【００２７】
このように、第１実施形態のソケットレンチ用ハンドルは、円筒面３ａとカム面２ａの間にローラ４を噛み込ませることにより内輪２と外輪３の間でトルクを伝達して出力軸７を回転させるので、出力軸７を回転させるのに必要な揺動角度が小さい。そのため、狭い場所でもボルト等を回転させることができ、作業性に優れる。また、空転時にラチェット音が生じないので静粛性に優れる。
【００２８】
図４に、この発明の第２実施形態のソケットレンチ用ハンドルを示す。第２実施形態は、第１実施形態のカム面を外輪に形成し、保持器を外輪に固定するようにしたものである。このソケットレンチ用ハンドルも、第１実施形態と同様のハンドル部材２１を有し、そのハンドル部材の一端部には、図４（ａ）に示すように、内輪２２と、外輪２３と、内輪２２と外輪２３の間に組み込まれた複数のローラ２４と、各ローラ２４を保持する保持器２５が設けられている。
【００２９】
外輪２３は、第１実施形態と同様にハンドル部材２１の一端部に形成された穴２６に圧入され、図５（ａ）に示すように内周にカム面２３ａが形成されている。内輪２２は、図４（ｂ）に示すように出力軸２７が一端側に形成され、他端側の外周に円筒面２２ａが形成されている。
【００３０】
ローラ２４は、図５（ａ）に示すように、内輪２２の円筒面２２ａと外輪２３のカム面２３ａの間に形成されたくさび空間に配置され、ばね２８を介して保持器２５に保持されている。
【００３１】
保持器２５は、外輪２３に対して相対回転可能となっており、図４（ｂ）に示すように、ハンドル部材２１から外部に露出して設けた摘み２９で回転操作できるようになっている。
【００３２】
保持器２５には、図４（ｂ）（ｃ）に示すように外輪２３との対向面に形成された収納穴３０にボール３１が挿入されている。ボール３１は、収納穴３０内に設けた弾性体３２で収納穴３０の外方に付勢され、外輪２３に接触している。外輪２３には、収納穴３０に対応する位置に、第１の窪み３３と第２の窪み３４が互いに周方向に間隔をおいて形成されている。そのため、保持器２５を外輪２３に対して右方向に回転させると、ボール３１が第１の窪み３３に入り込んで保持器２５を外輪２３に固定する。また、保持器２５を外輪２３に対して左方向に回転させると、ボール３１が第２の窪み３４に入り込んで保持器２５を外輪２３に固定する。
【００３３】
次に、この第２実施形態のソケットレンチ用ハンドルの使用例を説明する。
【００３４】
まず、図５（ａ）に示すようにローラ２４が中立位置にある状態で、出力軸２７にソケットＳを装着する。つぎに、外輪２３に対して保持器２５を左方向に相対回転させ、ボール３１を第２の窪み３４に入り込ませると、図５（ｂ）に示すようにローラ２４がばね２８に付勢されて円筒面２２ａとカム面２３ａの間に係合する。この状態でハンドル部材２１を右方向に回転させると、ローラ２４が内輪２２と外輪２３の間に噛み込んで外輪２３から内輪２２にトルクが伝達し、出力軸２７がハンドル部材２１と一体に回転する。一方、ハンドル部材２１を左方向に回転させると、ローラ２４の噛み込みが解除されてトルクの伝達が遮断され、外輪２３が空転する。そのため、ハンドル部材２１を往復運動させると、出力軸２７が右方向に間欠回転し、ソケットＳで保持したボルト等を締め付けることができる。
【００３５】
同様に、外輪２３に対して保持器２５を右方向に相対回転させ、ボール３１を第１の窪み３３に入り込ませても、図５（ｃ）に示すようにローラ２４がばね２８に付勢されて円筒面２２ａとカム面２３ａの間に係合する。この状態でハンドル部材２１を左方向に回転させると、ローラ２４が内輪２２と外輪２３の間に噛み込んで外輪２３から内輪２２にトルクが伝達し、出力軸２７がハンドル部材２１と一体に回転する。一方、ハンドル部材２１を右方向に回転させると、ローラ２４の噛み込みが解除されてトルクの伝達が遮断され、外輪２３が空転する。そのため、ハンドル部材２１を往復運動させると、出力軸２７が左方向に間欠回転し、ソケットＳで保持したボルト等を緩めることができる。
【００３６】
このように、第２実施形態のソケットレンチ用ハンドルは、円筒面２２ａとカム面２３ａの間にローラ２４を噛み込ませることにより内輪２２と外輪２３の間でトルクを伝達して出力軸２７を回転させるので、出力軸２７を回転させるのに必要な揺動角度が小さい。そのため、狭い場所でもボルト等を回転させることができ、作業性に優れる。また、空転時にラチェット音が生じないので静粛性に優れる。
【００３７】
図６に、この発明の第３実施形態のソケットレンチ用ハンドルを示す。第３実施形態は、第２実施形態の外輪の内周を円筒面とし、第２実施形態のローラをカム面が形成された係合子にしたものである。このソケットレンチ用ハンドルも、第１実施形態と同様のハンドル部材４１を有し、そのハンドル部材４１の一端部には、図６（ａ）に示すように、内輪４２と、外輪４３と、内輪４２と外輪４３の間に組み込まれた複数のスプラグ４４と、各スプラグ４４を保持する大径保持器４５ａおよび小径保持器４５ｂが設けられている。
【００３８】
外輪４３は、第１実施形態と同様にハンドル部材４１の一端部に形成された穴４６に圧入され、内周に円筒面４３ａが形成されている。内輪４２は、図６（ｂ）に示すように出力軸４７が一端側に形成され、他端側の外周に円筒面４２ａが形成されている。
【００３９】
スプラグ４４は、図７（ａ）に示すように、上下にカム面４４ａ、４４ｂを有する左右対称形状であり、同心の円筒面４３ａと円筒面４２ａの間に配置されている。また、上部がばね４８を介して大径保持器４５ａで保持され、下部が内輪４２に固定された小径保持器４５ｂで保持されている。
【００４０】
大径保持器４５ａは、外輪４３に対して相対回転可能となっており、図６（ｂ）に示すように、ハンドル部材４１から外部に露出して設けた摘み４９で回転操作できるようになっている。
【００４１】
大径保持器４５ａには、図６（ｂ）（ｃ）に示すように外輪４３との対向面に形成された収納穴５０にボール５１が挿入されている。ボール５１は、収納穴５０内に設けた弾性体５２で収納穴５０の外方に付勢され、外輪４３に接触している。外輪４３には、第２実施形態と同様に、第１の窪み５３と第２の窪み５４が互いに周方向に間隔をおいて形成されている。
【００４２】
次に、この第３実施形態のソケットレンチ用ハンドルの使用例を説明する。
【００４３】
まず、図７（ａ）に示すようにスプラグ４４が直立した状態で、出力軸４７にソケットＳを装着する。つぎに、外輪４３に対して大径保持器４５ａを右方向に相対回転させ、ボール５１を第１の窪み５３に入り込ませると、図７（ｂ）に示すようにスプラグ４４がばね４８に付勢されて右に傾き、円筒面４２ａと円筒面４３ａの間に係合する。この状態でハンドル部材４１を右方向に回転させると、スプラグ４４が内輪４２と外輪４３の間に噛み込んで外輪４３から内輪４２にトルクが伝達し、出力軸４７がハンドル部材４１と一体に回転する。一方、ハンドル部材４１を左方向に回転させると、スプラグ４４の噛み込みが解除されてトルクの伝達が遮断され、外輪４３が空転する。そのため、ハンドル部材４１を往復運動させると、出力軸４７が右方向に間欠回転し、ソケットＳで保持したボルト等を締め付けることができる。
【００４４】
同様に、外輪４３に対して大径保持器４５ａを左方向に相対回転させ、ボール５１を第２の窪み５４に入り込ませると、図７（ｃ）に示すようにスプラグ４４がばね４８に付勢されて左に傾き、円筒面２２ａと円筒面２３ａの間に係合する。この状態でハンドル部材４１を左方向に回転させると、スプラグ４４が内輪４２と外輪４３の間に噛み込んで外輪４３から内輪４２にトルクが伝達し、出力軸４７がハンドル部材４１と一体に回転する。一方、ハンドル部材４１を右方向に回転させると、スプラグ４４の噛み込みが解除されてトルクの伝達が遮断され、外輪４３が空転する。そのため、ハンドル部材４１を往復運動させると、出力軸４７が左方向に間欠回転し、ソケットＳで保持したボルト等を緩めることができる。
【００４５】
このように、第３実施形態のソケットレンチ用ハンドルは、円筒面４２ａと円筒面４３ａの間にスプラグ４４を噛み込ませることにより内輪４２と外輪４３の間でトルクを伝達して出力軸４７を回転させるので、出力軸４７を回転させるのに必要な揺動角度が小さい。そのため、狭い場所でもボルト等を回転させることができ、作業性に優れる。また、空転時にラチェット音が生じないので静粛性に優れる。
【００４６】
第３実施形態では、大径保持器４５ａを回転させてスプラグ４４を傾けているが、小径保持器４５ｂを回転させてスプラグ４４を傾け、そのスプラグ４４が内輪４２と外輪４３の間に噛み込むようにしてもよい。すなわち、大径保持器４５ａを外輪４３に固定し、小径保持器４５ｂを内輪４２に対して相対回転可能とし、その小径保持器４５ｂに第１実施形態と同様の摘みを設け、その小径保持器４５ｂがばねを介してスプラグ４４の下部を保持するようにし、内輪４２に第１実施形態と同様のボールとばねを組み込み、小径保持器４５ｂに第１実施形態と同様に第１の窪みと第２の窪みを形成してもよい。
【００４７】
ボール１１、３１、５１を付勢する弾性体１２、３２、５２として、図ではコイルばねを用いているが、他の弾性体を用いてもよく、たとえばゴムや板ばねを用いてもよい。
【図面の簡単な説明】
【００４８】
【図１】（ａ）はこの発明の第１実施形態のソケットレンチ用ハンドルの全体図、（ｂ）は（ａ）のソケットレンチ用ハンドルを出力軸側から見た図
【図２】（ａ）は図１のＩＩａ−ＩＩａ線に沿った断面図、（ｂ）は（ａ）のＩＩｂ−ＩＩｂ線に沿った断面図、（ｃ）は（ａ）のＩＩｃ−ＩＩｃ線に沿った断面斜視図
【図３】（ａ）は図１のソケットレンチ用ハンドルのローラが中立位置にある状態を示す断面図、（ｂ）は（ａ）のローラ近傍の拡大図、（ｃ）は（ａ）の保持器を右方向に回転させた状態を示す断面図、（ｄ）は（ｃ）のローラ近傍の拡大図、（ｅ）は（ａ）の保持器を左方向に回転させた状態を示す断面図、（ｆ）は（ｅ）のローラ近傍の拡大図
【図４】（ａ）は第２実施形態のソケットレンチ用ハンドルの一端部の拡大断面図、（ｂ）は（ａ）のＩＶｂ−ＩＶｂ線に沿った断面図、（ｃ）は第２実施形態のソケットレンチ用ハンドルの一端部を出力軸の反対側から見た一部断面図
【図５】（ａ）は図４のソケットレンチ用ハンドルのローラが中立位置にある状態を示す断面図、（ｂ）は（ａ）の保持器を左方向に回転させた状態を示す断面図、（ｃ）は（ａ）の保持器を右方向に回転させた状態を示す断面図
【図６】（ａ）は第３実施形態のソケットレンチ用ハンドルの一端部の拡大断面図、（ｂ）は（ａ）のＶＩｂ−ＶＩｂ線に沿った断面図、（ｃ）は第３実施形態のソケットレンチ用ハンドルの一端部を出力軸の反対側から見た一部断面図
【図７】（ａ）は図６のソケットレンチ用ハンドルのスプラグが直立した状態を示す断面図、（ｂ）は（ａ）の大径保持器を右方向に回転させた状態を示す断面図、（ｃ）は（ａ）の大径保持器を左方向に回転させた状態を示す断面図
【符号の説明】
【００４９】
１        ハンドル部材
２        内輪
２ａ      カム面
３        外輪
３ａ      円筒面
４        ローラ（係合子）
７        出力軸
２１      ハンドル部材
２２      内輪
２２ａ    円筒面
２３      外輪
２３ａ    カム面
２４      係合子
２７      出力軸
４１      ハンドル部材
４２      内輪
４２ａ    円筒面
４３      外輪
４３ａ    円筒面
４４      スプラグ（係合子）
４４ａ、４４ｂ  カム面
４７      出力軸
【図１】
2007015077.tif 000003
【図２】
2007015077.tif 000004
【図３】
2007015077.tif 000005
【図４】
2007015077.tif 000006
【図５】
2007015077.tif 000007
【図６】
2007015077.tif 000008
【図７】
2007015077.tif 000009